【事件の表示】
　特願２０１５−１９４９１４「換気システム」拒絶査定不服審判事件〔平成２９年　４月　６日出願公開、特開２０１７−　６７３８９〕について、次のとおり審決する。
【結　論】
　本件審判の請求は、成り立たない。
【理　由】
第１　手続の経緯
　本願は、平成２７年９月３０日の出願であって、その後の手続の概要は、以下のとおりである。
　令和元年６月２４日付けで拒絶の理由の通知
　令和元年８月３０日に意見書及び手続補正書の提出
　令和２年１月１０日付けで拒絶査定
　令和２年４月１日に拒絶査定不服審判の請求及び同時に手続補正書の提出
　令和２年１０月２９日付けで当審における拒絶の理由の通知
　令和２年１２月１４日に意見書及び手続補正書の提出
第２　本願発明
　本願の請求項１〜４に係る発明は、令和２年１２月１４日に提出された手続補正書により補正された明細書、特許請求の範囲及び願書に最初に添付された図面の記載によれば、特許請求の範囲の請求項１〜４に記載された事項により特定されるものと認められるところ、本願の請求項１に係る発明（以下「本願発明」という。）は、以下のとおりのものである。
「【請求項１】
　室内に配置されている調理器と、
　前記室内に配置されており、前記室内の空気を換気する換気手段と、
　前記室内に配置されており、前記調理器から離れた位置で前記室内の空気質を検知する検知手段と、
　制御手段を備えており、
　前記換気手段は、前記調理器の火力に応じた３段階以上の風量及び前記検知手段が検知した空気質に応じた３段階以上の風量で前記室内の空気を換気可能に構成されており、
　前記制御手段は、前記調理器と通信可能に構成されており、前記調理器の火力に応じた３段階以上の風量のうち前記調理器から受信した現在の火力に応じて特定される１つの風量と、前記検知手段が検知した空気質に応じた３段階以上の風量のうち現在の空気質に応じて特定される１つの風量とを比較して、２つの風量のうち強い方の風量で前記室内の空気が換気されるように前記換気手段の運転を制御する、換気システム。」
第３　令和２年１０月２９日付けで通知した拒絶の理由
　当審において、令和２年１０月２９日付けで通知した拒絶の理由のうち、理由１の一部は、概略以下のとおりである。
＜理由１（進歩性）について＞
　本願の請求項１に係る発明は、本願の出願前に日本国内又は外国において、頒布された又は電気通信回線を通じて公衆に利用可能となった下記の引用文献に記載された発明に基いて、本願の出願前にその発明の属する技術の分野における通常の知識を有する者（以下「当業者」という。）が容易に発明をすることができたものであるから、特許法２９条２項の規定により特許を受けることができない。
　　　　　　記　　　（引用文献については引用文献一覧を参照）
・請求項１
・引用文献１、２
・備考
　本願の請求項１に係る発明は、引用文献１に記載された発明、引用文献２〜４に例証される周知技術１及び引用文献３及び４に例証される周知技術２に基いて、当業者が容易に発明をすることができたものである。
　　　　　　　　　　　＜引用文献一覧＞
引用文献１：特開平２−１６６３３２号公報
引用文献２：実願昭６０−１５９４１５号（実開昭６２−６７１３４号）のマイクロフィルム（周知技術を示す文献）
引用文献３：特開２０１４−２２８２１７号公報（周知技術を示す文献）
引用文献４：特開平１１−１４１９３５号公報（周知技術を示す文献）
第４　引用文献
１　引用文献１について
（１）引用文献１の記載
　当審において通知した拒絶の理由に引用された引用文献であって、本願の出願前に頒布された引用文献１には、「電子蒸気供給装置」に関し、次の記載がある。
　なお、「・・・」は記載の省略を示し、下線は当審において付したものである（以下同様。）。また、拗音及び促音は小文字とし、英数字は全角とした。
ア　「
本発明は、換気扇の自動制御方法及び装置に関する
〔従来の技術〕
　
調理場に設けられた換気扇
〔発明が解決しようとする課題〕
　
上述の従来技術は、調理時に発生する煙，臭い，ガスなどを排出するという点については配慮がなされておらず、家屋内のより良い生活環境を維持するには問題があった。
　
本発明の目的は、例えば、調理時に発生する熱気はもちろんのこと、煙，臭い，ガスなどを検出して、それらを自動的に排出し、家屋内のより良い生活環境を維持することにある。
　さらに、使用される環境条件によらず感度調整等をする必要のない使い勝手の良い換気扇制御装置を提供することにある。」（２頁右上欄１４行〜同頁左下欄１７行）
イ　「〔課題を解決するための手段〕
　上記の課題を解決するためにとられた
本発明の主なる構成は
換気扇の自動制御装置においては、空気汚染検出手段，温度検出手段，
前記出力比演算手段，前記温度差演算手段，前記出力比比較手段及び前記温度差比較手段の出力より換気扇の制御量を演算する制御量演算手段、該制御量演算手段の出力により換気扇を制御する制御手段、及び、該制御手段の出力により前記換気扇を駆動する駆動手段からなることを一つの特徴とする
ウ　「〔作用〕
　
本発明は、煙，臭い，ガスなどによる空気汚染を検出する検出素子の清浄空気中における出力を基準値として記憶させておき、任意の時点における検出素子の出力をこの基準値と比較することにより、例えば、調理時に発生する煙，臭い，ガスなどの発生を検知し、この検出素子の出力の変化により換気扇の制御量を算出するようになっている。
　
また、例えば、調理時に発生する熱気に対しては、調理が行われていないときの温度検出素子の出力を温度の基準値として記憶させておき、任意の時点における温度検出素子の出力のこの温度の基準値に対する温度差で、調理時に発生する熱気を検知し、この温度差によって換気扇の制御量を算出するようになっている。
　
そして、算出したこれらの制御量を比較して換気扇の制御量を決定し、この値により換気扇を運転する。
　すなわち、
本発明では、換気扇の制御は、基準値に対する変化（煙，臭い，ガスなどの空気汚染は出力比、温度は温度差）を、予め設定してある値とそれぞれ比較し、その結果より換気扇を駆動するか否かを判定しており
換気扇の制御量は、出力比及び温度差よりそれぞれ算出し、空気の状態に応じた値に設定しているので、熱気，煙，臭い，ガスの状態に応じた換気扇の自動運転が可能となる。
エ　「〔実施例〕
　以下、実施例について説明する。
　
第１図は、本発明の一実施例の構成を示すブロック図である。第１図において、１は調理時に発生する煙，臭い，ガスなどを検出する空気汚染検出部、２は空気温度を検出する温度検出部、３は調理が行われない時の清浄空気中における空気汚染検出部１の出力を記憶する清浄レベル記憶部、４は調理が行われないときの温度検出部２の出力を記憶する温度基準記憶部、５は空気汚染検出部１の出力と清浄レベル記憶部３に記憶されている出力との比を演算する出力比演算部、６は温度検出部２の出力と温度基準記憶部４に記憶されている出力とより温度差を演算する温度差演算部、７は換気扇駆動に関して出力比の基準となる値を予め記憶しである出力比基準記憶部、８は換気扇駆動に関して温度差の基準となる値を予め記憶しである温度差基準記憶部、９は出力比演算部５の出力と出力比基準記憶部７の出力とを比較する出力比比較部、１０は温度差演算部６の出力と温度差基準記憶部８の出力とを比較する温度差比較部、１１は出力比演算部５の出力と出力比比較部９の出力とより換気扇を駆動するための制御量を演算する制御量演算部、１２は温度差演算部６の出力と温度差比較部１０の出力とより換気扇を駆動するための制御量を演算する制御量演算部、１３は制御量演算部１１，１２の出力により換気扇を駆動するための制御量を決定する制御部、１４は制御部１３の出力により換気扇を駆動する駆動部、１５は出力比比較部９の出力と温度差比較部１０の出力より清浄レベル及び温度基準の記憶のタイミングを制御するタイマ部である。
オ　「
第２図は、第１図の空気汚染検出部１に、半導体式のガスセンサを用いたときの接続回路図である。
　第３図は、調理の一例として焼き魚の調理を行ったときの第２図に示した空気汚染検出部１のガスセンサの出力特性図であり、横軸，縦軸には、それぞれ経過時間、出力電圧Ｖｏ（Ｖ）がとってあり、ｔａはガスコンロの点火時、ｔｂはガスコンロ使用時を示している。
第３図に示すように、時間ｔａ時にガスコンロが点火されると、ガスセンサ１６は、点火時の生ガスに反応して、抵抗値が減少するので、出力電圧Ｖｏは増加する。
ガスセンサ１６の出力電圧Ｖｏの変化度合により、調理によって生じる空気の汚染度合の検出を行うことができる。
カ　「次に、本実施例の動作を、第４図のブロック回路図、第５図〜第８図のフローチャート、第９図及び第１０図の動作例の説明図を用いて説明する。
　
第４図において、２６は空気の汚染検出用の、例えば、半導体式のガスセンサ、２７は温度検出用の、例えば、サーミスタよりなる温度センサ、２８はガスセンサ２６の出力と温度センサ２７の出力を切り換えて出力するマルチプレクサ、２９はマルチプレクサ２８のアナログ出力をデジタル値に変換すＡ／Ｄコンバータ、３０はマイクロコンピュータ、３１はガスセンサ２６の出力比基準，温度差基準などの定数データを予め記憶させておくＲＯＭ、３２は空気の清浄レベル、温度基準などを記憶させておくＲＡＭ、３３はマイクロコンピュータ３０の出力により、換気扇モータ３４を位相制御する位相制御回路である。
　
本実施例の換気扇の自動制御装置は、第５図の概略動作を示すフローチャートに示すように、換気扇の制御装置の電源投入と同時にマイクロコンピュータ３０が動作を開始する。
ガスセンサ２６の出力及び温度センサ２７の出力をそれぞれＡ／Ｄ変換器２９によりデジタルデータとして測定する（ステップ（１））
ステップ（１）と同様にしてガスセンサ２６の出力及び温度センサ２７の出力を測定し、
ついで、ガスセンサ出力基準値ＳＥＮ０とガスセンサ２６の出力ＳＥＮ１の出力比を算出し、
温度ＴＨ１と温度基準値ＴＨ０との温度差を算出し、
この段階で、現在換気扇が停止しているかどうかを判定し、停止しているときは、ステップ（６）へ行き、停止していないときはステップ（８）へ行く
　次に、ステップ（６）以下の動作について説明する。
ステップ（６）では、調理による熱気，煙，臭い，ガスなどが発生しているか否かを判断する。すなわち、ステップ（４）で算出した出力比ＳＣと予めＲＯＭ３１に記憶させである出力比基準ＳＣＤを比較する。また、温度差ＴＣと予めＲＯＭ３１に記憶させである温度基準（１）とを比較する。ここで、ＳＣ＜ＳＣＤかつＴＣ≦ＴＨＤ１であるならば、煙，臭い，ガスなどの発生もなく、熱気の発生もないと判断し、ステップ（７）で基準値更新（後述参照）を行い、上述の条件を満足しないときは、調理によって煙，臭い，ガスまたは、熱気が発生したと判断し、ステップ（８）以下を行う、ステップ（８）では、出力比ＳＣと出力比基準ＳＣＤを比較し、温度差ＴＣと温度差基準（２）ＴＨＤ２を比較する。ここで、ＳＣ≧ＳＣＤまたはＴＣ≧ＴＣＤ２であるならば、ステップ（９）の換気扇駆動（後述参照）を行い、そうでなければ、ステップ（１０）の換気扇指定時間駆動（後述参照）を行う
　第６図は第５図のステップ（７）の基準値更新の詳細を示すフローチャートである。・・・
　
第７図は、第５図のステップ（９）の換気扇駆動の詳細を示すフローチャートである。換気扇駆動は、ガスセンサ出力の基準値に対する出力比ＳＣに応じて換気扇の制御量を算出し（ステップ（１３））、温度差ＴＣより換気扇の制御量を算出する（ステップ（１４））、算出されたガスセンサの出力比ＳＣによる換気扇の制御量と温度差ＴＣによる制御量を比較して（ステップ（１５））、値の大きい方で位相制御回路３３を動作させる。こうすることにより、煙，臭い，ガスまたは熱気のどちらについても換気扇を最適に運転することができる。
　第８図は、第５図のステップ（１０）の換気扇指定時間駆動の詳細を示すフローチャートである。
これは、予め定めた時間ＴＭの間、換気扇を駆動するものであり、ステップ（１９）からステップ（２３）の動作は、前述した換気扇駆動の動作と同様である。時間ＴＭ２を経過すると位相制御回路３３を制御して、換気扇を停止させる（ステップ（２４））。そして、基準値を更新する（ステップ（２５））。」（４頁右上欄１２行〜５頁左下欄１０行）
キ　「以上説明した本実施例の換気扇の自動制御装置を実際に動作させた場合の動作例について第９図，第１０図を用いて説明する。これらの図で、横軸には時間、縦軸にはガスセンサ出力（Ｖ）及び温度（℃）（温度センサ出力）がとってあり、実線はガスセンサ出力の時間的変化を示し、一点鎖線は温度の時間的変化を示している。
　
第９図は、ガスコンロによって焼き魚調理を行ったときの動作を示したもので、この動作例では、ｔ１０で基準値更新を行い、その後ｔ１１でガスコンロを点火した。ガスコンロの点火時の生ガスにガスセンサは反応し、出力が上昇していき、ｔ１２で、第５図ステップ（６）に示した条件のＳＣ＜ＳＣＤを外れ、またステップ（８）に示した条件のＳＣ≧ＳＣＤを満足したため、ステップ（９）の換気扇駆動を行い、換気扇が運転された調理が続けられている間は、焼き魚の煙，臭い，ガスなどによって、第９図に示すようにガスセンサの出力は増加した状態で変化した。この時、換気扇はガスセンサの出力比：ＳＣにより自動的に風量制御が行われる。また、時間経過とともに温度も上昇し、ｔ１３においてステップ（８）に示した条件のＴＣ≧ＴＨＤ（２）となりＴＣに応じた制御量、前述のガスセンサの出力比：ＳＣに応じた制御量の内、大きい方の制御量で換気扇の風量制御が行われる。
　ｔ１４でコンロを消火して調理を終了すると、ガスセンサ出力は、調理を終了したため下がりはじめ、ｔ１５でステップ（８）に示した条件のＳＣ≧ＳＣＤを外れる。しかしながら、温度（温度センサ出力）もガスセンサ出力と同様に下がりはじめるが、ステップ（８）に示した条件のＴＣ≧ＴＨＤ（２）を満足するため、ｔ１６までは、ＴＣに応じた制御量でステップ（９）の換気扇駆動の動作を行っている。
　ｔ１６をすぎると、ステップ（８）に示した条件を外れるためステップ（１０）の換気扇指定時間駆動を行う、ｔ１７でＴＭ（２）（例えば数分間〜数十分間）が経過したため、換気扇を停止し、基準値の更新が行われる。ｔ１７からは、換気扇が停止しているため、ステップ（６）の判定を行い、出力比ＳＣ，温度差ＴＣともに条件を満足しているため、ステップ（７）の基準値更新の動作が予め定めた時間毎に行われる。
　
第１０図は、ガスコンロによって湯わかしを行ったときの動作である。この動作例においては、ｔ２０で基準値更新を行っている。その後ｔ２１でガスコンロを点火すると、ガスコンロ点火時の生ガスによりガスセンサ出力が上昇していき、ｔ２２で第５図ステップ（６）に示した条件のＳＣ＜ＳＣＤを外れ、また、ステップ（８）に示した条件のＳＣ≧ＳＣＤを満足したため、ステップ（９）の換気扇駆動を行い、換気扇が運転された。湯わかしの場合、煙，臭い，ガスなどは発生しないため、ガスセンサ出力は下がり、ｔ２３でステップ（８）に示した条件のＳＣ≧ＳＣＤを外れる。したがって、ステップ（１０）の換気扇指定時間駆動の動作を行う。しかしながら、ガスコンロの熱により温度が上昇し、指定時間ＴＭ（２）が経過する前に、ステップ（８）に示した条件のＴＣ≧ＴＨＤ（２）を満足したため、ステップ（９）の換気扇駆動の動作が行なわれる。
　ｔ２５でお湯が沸き、ガスコンロを消火すると、そのため温度は下がり、ｔ２６でステップ（８）に示した条件のＴＣ≧ＴＨＤ（２）から外れ、ステップ（１０）の換気扇指定時間駆動の動作が行われる。ｔ２７でＴＭ　（２）が経過すると、換気扇を停止し基準値を更新動作に入る。ｔ２７以後は、換気扇が停止しているためステップ（６）の判定を行い、ガスセンサ出力比ＳＣ，温度センサの温度差ＴＣが、ともに条件を満足しているため、ステップ（７）の基準値更新の動作を予め定めた時間毎に行われる。」（５頁左下欄１１行〜６頁左下欄２行）
ク　「以上の実施例によれば、
調理時に発生する熱気はもちろんのこと、煙，臭い，ガスなどを検出して換気扇を自動制御し、それらを自動的に排出することができるので、家屋内のより良い生活環境を維持するのに効果がある。
〔発明の効果〕
　
本発明は、例えば、調理時に発生する熱気はもちろんのこと、埋、臭い、ガスなどを検出して、それらを自動的に検出し、家屋内のより良い生活環境を維持することを可能とし
「
                                                
   
   
   
   
   
   
   
」
（２）上記（１）記載から認められること
ア　上記（１）ア〜ク及び第１図〜第１０図の記載によれば、引用文献１には、装置として「ガスコンロ」、「換気扇」及び「換気扇の自動制御装置」が記載されている。
イ　上記（１）ア〜エ及びク並びに第１図の記載によれば、換気扇の自動制御装置は、「家屋内に配置されており、ガスコンロから離れた位置で前記家屋内の煙，臭い，ガスなどを検出する空気汚染検出部１」と、「調理時に発生する熱気を検知するため、空気温度を検出する温度検出部２」とを備えている。　なお、第１図の実施例の具体的構成（以下「具体例」という。）についての上記（１）カ及び第４図の記載においては、「ガスセンサ２６」及び「温度センサ２７」として示されている。
　ここで、空気汚染検出部１が、「ガスコンロ」及び「換気扇」とともに、家屋内に配置されていることは、上記（１）ア及びクの記載から認めることができる。
　また、空気汚染検出部１が、ガスコンロから離れた位置にあることは、煙，臭い，ガスなど複数のものの検出を行っているので、明らかである。
　さらに、温度検出部２が、熱気を検知するためのものであることは、上記（１）ウの記載及び上記（１）カのステップ（６）についての記載から認めることができる。
ウ　上記（１）イ〜エ及び第１図の記載によれば、換気扇の自動制御装置は、温度検出部２の出力から、調理が行われない時の温度検出部２の出力である、温度基準に対する変化である温度差を温度差演算部６で演算し、演算された温度差と換気扇駆動に関して温度差の基準となる値とを温度差比較部１０で比較し、温度差演算部６の出力である演算された温度差と温度差比較部１０の出力とにより換気扇を駆動するための制御量を制御量演算部１２で演算している。　なお、具体例についての上記（１）カ及び第４図〜第８図の記載によれば、温度センサ２７の出力である温度ＴＨ１と温度基準値ＴＨ０との温度差ＴＣを算出し（ステップ（４））、温度差ＴＣと温度差基準ＴＨＤ１とを比較して、温度差ＴＣ≦温度差基準ＴＨＤ１を満足しない場合、熱気が発生したと判断し（ステップ（６））、次に、温度差ＴＣと温度差基準ＴＨＤ２とを比較して、温度差ＴＣ≧温度差基準ＴＨＤ２である場合（ステップ（８））、温度差ＴＣより換気扇の制御量ＦＳ２を算出している（ステップ（９）、ステップ（１４））。
　そして、温度差は調理時に発生する熱気に対応しており（上記（１）ウ及びカ）、検出した空気温度から直ちに制御量を算出しているから、換気扇の自動制御装置は、温度検出部２が検出した空気温度から演算した調理時に発生する現在の熱気に対応した温度差に応じて特定される１つの制御量を演算する手段を有しているといえる。
エ　上記（１）イ〜エ及び第１図の記載によれば、換気扇の自動制御装置は、空気汚染検出部１の出力から、調理が行われない時の清浄空気中における空気汚染検出部１の出力である、空気汚染発生前の空気の清浄レベルに対する変化である出力比を出力演算部５で演算し、演算された出力比と換気扇駆動に関して出力比の基準となる値とを出力比比較部９で比較し、出力比演算部５の出力である演算された出力比と出力比比較部９の出力とにより換気扇を駆動するための制御量を制御量演算部１１で演算している。　なお、具体例についての上記（１）カ及び第４図〜第８図の記載によれば、空気の汚染検出用のガスセンサ２６の出力ＳＥＮ１から、ガスセンサ出力基準値ＳＥＮ０とガスセンサ２６の出力ＳＥＮ１の出力比ＳＣを算出し（ステップ（４））、算出した出力比ＳＣと出力比基準ＳＣＤとを比較し、ＳＣ＜ＳＣＤを満足しない場合、煙、臭い、ガスが発生したと判断し（ステップ（６））、次に、出力比ＳＣと出力比基準ＳＣＤを比較し、ＳＣ≧ＳＣＤである場合（ステップ（８））、出力比ＳＣに応じて換気扇の制御量ＦＳ１を算出している（ステップ（９）、ステップ（１３））。
　そして、検出した煙，臭い，ガスなどから直ちに制御量を演算しているから、換気扇の自動制御装置は、空気汚染検出部１が検出した現在の煙，臭い，ガスなどに応じて特定される１つの制御量を演算する手段を有しているといえる。
オ　上記（１）イ〜エ及び第１図の記載を、上記ウ及びエと合わせてみると、換気扇の自動制御装置は、温度検出部２が検出した空気温度から演算した調理時に発生する現在の熱気に対応した温度差に応じて特定される１つの制御量と、空気汚染検出部１が検出した現在の煙，臭い，ガスなどに応じて特定される１つの制御量とを比較して、２つの制御量のうち強い方の制御量で家屋内の空気が換気されるように換気扇の運転を制御する手段を有しているといえる。　なお、具体例についての上記（１）カ及び第４図〜第８図の記載（特に、上記（１）カ及び第７図の記載）においては、算出されたガスセンサの出力比ＳＣによる換気扇の制御量ＦＳ１と温度差ＴＣによる制御量ＦＳ２を比較して、値の大きい方で位相制御回路３３を動作させている（ステップ（１５）〜ステップ（１７））。
カ　上記イ〜オによれば、換気扇の自動制御装置は、「家屋内に配置されており、ガスコンロから離れた位置で前記家屋内の煙，臭い，ガスなどを検出する空気汚染検出部１」と、「調理時に発生する熱気を検知するため、空気温度を検出する温度検出部２」と、「制御部」を備えており、「前記制御部は、前記温度検出部２が検出した空気温度から演算した調理時に発生する現在の熱気に対応した温度差に応じて特定される１つの制御量と、前記空気汚染検出部１が検出した現在の煙，臭い，ガスなどに応じて特定される１つの制御量とを比較して、２つの制御量のうち強い方の制御量で前記家屋内の空気が換気されるように前記換気扇の運転を制御する」ものということができる。
キ　上記アの換気扇は、上記オの換気扇の自動制御装置により運転を制御されるものであるから、温度検出部２が検出した空気温度から演算した調理時に発生する熱気に対応した温度差に応じた制御量及び空気汚染検出部１が検出した煙，臭い，ガスなどに応じた制御量で家屋内の空気を換気可能に構成されているといえる。
ク　上記ウ〜キの「制御量」は、上記（１）キに記載されているように、「制御量で換気扇の風量制御が行われる」（引用文献１の５頁右下欄１５行）のであるから、「風量」といえる。
ケ　上記ア、オ及びキによれば、換気扇の自動制御装置は、ガスコンロの使用状況に応じて換気扇の運転を制御しており、ガスコンロ及び換気扇と影響を及ぼしあうものであるので、「ガスコンロ」と、「換気扇」と、「空気汚染検出部１」と、「温度検出部２」と、「制御部」を備えた、「換気システム」が構成されているといえる。
（３）引用発明
　上記（１）及び（２）を総合すると、引用文献１には、次の事項からなる発明（以下「引用発明」という。）が記載されていると認める。
「家屋内に配置されているガスコンロと、
　前記家屋内に配置されており、前記家屋内の空気を換気する換気扇と、
　前記家屋内に配置されており、前記ガスコンロから離れた位置で前記家屋内の煙，臭い，ガスなどを検出する空気汚染検出部１と、
　調理時に発生する熱気を検知するため、空気温度を検出する温度検出部２と、
　制御部を備えており、
　前記換気扇は、前記温度検出部２が検出した空気温度から演算した調理時に発生する熱気に対応した温度差に応じた風量及び前記空気汚染検出部１が検出した煙，臭い，ガスなどに応じた風量で前記家屋内の空気を換気可能に構成されており、
　前記制御部は、前記温度検出部２が検出した空気温度から演算した調理時に発生する現在の熱気に対応した温度差に応じて特定される１つの風量と、前記空気汚染検出部１が検出した現在の煙，臭い，ガスなどに応じて特定される１つの風量とを比較して、２つの風量のうち強い方の風量で前記家屋内の空気が換気されるように前記換気扇の運転を制御する、換気システム。」
２　引用文献２
　当審において通知した拒絶の理由に引用された引用文献であって、本願の出願前に頒布された刊行物である引用文献２には、「自動換気装置」に関し、次の記載がある。
「第１図において、(1)は温度検知手段で、室内の雰囲気温度を、第２図の曲線(2)のごとく、連続的に検知するものである。温度検知手段(1)の温度検知素子としては、感温抵抗体であるサーミスタや熱電対などが好適である。(3)は温度比較手段で、温度検知手段(1)がその入力側に電気的に接続されている。温度比較手段(3)は、高温、中温、低温の３つの設定温度を有している。(4)は煙検知手段で、室内の煙の量（濃度）を、第３図の曲線(5)のごとく、連続的に検知する従来公知のものを使用すればよい。(6)は煙濃度比較手段で、煙検知手段(4)がその入力側に電気的に接続され、温度比較手段(3)同様、３つの設定煙濃度を有している。(7)は電動機速度判定手段で、たとえばマイクロプロセッサにて構成される。電動機速度判定手段(7)には、ファン（図示しない）の設けられた電動機(8)（以下モータと記す）を駆動するための駆動手段(9)が電気的に接続されるとともに、室内温度の表示をする温度表示手段(10)およびモータ(8)の回転速度を示す速度表示（ノッチ表示）手段(11)とが接続されている。温度比較手段(3)と煙濃度比較手段(6)と電動機速度判定手段(7)とを制御手段(12)が具備している。
　つぎに第２〜４図をまじえてこの実施例の動作について説明する。
　温度検知手段(1)は温度の変化によって、第２図の曲線(2)のごとく、温度信号を出力する。
温度比 較手段(3)は、温度信号を設定温度高、中、低のそれぞれと比較し、第２図の階段状の折線(13)のごとく、階段状に温度比較信号を電動機速度判定手段(7)に出力する。この温度比較信号はモータ(8)の速度を切り替えるためのタイミングであり、速度のパターン（ノッチパターン）となるものである。すなわち折線(13)をモータ(8)の速度（換気量の大きさ、強、中、弱）に対応するものとしている。
　
同様にして、煙検知手段(4)は煙の濃度によって第３図の曲線(5)のごとく、煙濃度信号を出力し、煙濃度比較手段(6)によって設定煙濃度濃、中、淡のそれぞれと比較し、ノッチパターンとなる煙濃度比較信号を、第３図の折線(14)のごとくに、電動機速度判定手段(7)に出力する。
　
温度比較手段(3)および煙濃度比較手段(6)からの温度比較信号と煙濃度比較信号とのそれぞれのうち、モータ(8)を高速の回転にするのに相当する電動機速度設定信号が、電動機速度判定手段(7)から駆動手段(9)へ出力される。
「
   
   
   
」
３　引用文献３
　当審において通知した拒絶の理由に引用された引用文献であって、本願の出願前に頒布された刊行物である引用文献３には、「加熱調理システム」に関し、次の記載がある。
「【０００９】
　実施の形態１． 図１は実施の形態１に係る加熱調理システムの外観を示す斜視図、図２は図１の加熱調理器の天板を取り外して示す斜視図である。
実施の形態１に係る加熱調理システムは、図１に示すように、システムキッチンに組み込まれた加熱調理器１００と、加熱調理器１００の上方に配置され、キッチンの壁に設置された換気扇装置２００と、キッチンの壁に設置されたコントローラー３００とで構成されている。
【００１０】
　加熱調理器１００は、図２に示すように、本体ケース１の上部に設けられ、鍋の載置位置を示す左加熱部４ａ、右加熱部４ｂ及び中央加熱部４ｃが表示された天板２と、本体ケース１内に、左加熱部４ａ、右加熱部４ｂ及び中央加熱部４ｃにそれぞれ対向して配置された加熱コイル１１ａ、１１ｂ、１１ｃと、本体ケース１内に収納され、本体ケース１の前面にグリル扉８を有するグリル調理器とを備えている。なお、本実施の形態の加熱調理器１００には、３つの加熱コイル１１ａ、１１ｂ、１１ｃが設けられているが、これは一例であって、加熱コイル１１ａ、１１ｂ、１１ｃの個数は限定されるものではない。また、中央加熱部４ｃに対向配置された加熱コイル１１ｃに代えて、ラジエントヒーターでもよい。
【００１１】
　天板２は、耐熱強化ガラスより形成され、外周部に額縁状のフレーム３が装着された状態で本体ケース１の上部に取り付けられている。天板２の手前側のフレーム３には、火力設定手段を有する操作部５が設けられ、天板２の後部のフレーム３には、吸気口１２を覆う吸気口カバー６及び排気口１３を覆う排気口カバー７が取り外し自在に設けられている。
【００１２】
　操作部５は、各加熱コイル１１ａ、１１ｂ、１１ｃの火力を設定するキースイッチ、グリル調理器の加熱動作を指示するキースイッチ等を備えている。操作部５の下には、操作部５の回路基板１４が配置されている。また、回路基板１４の一方には、例えばマイコンで構成された制御部９が実装されている。この制御部９は、操作部５のキースイッチの操作に基づく信号を加熱コイル１１ａ、１１ｂ、１１ｃの各回路基板、グリル調理器の回路基板に出力する。
【００１３】
　本体ケース１のグリル扉８に隣接する前面には、加熱調理器１００の電源スイッチ５ａが設けられている。
本体ケース１内の前部には、第１の送受信手段である第１の無線アダプタ１０が設置されている。この第１の無線アダプタ１０は、通信線（図示せず）を介して制御部９と接続されている。
【００１４】
　
制御部９は、操作部５により火力が設定されると、設定された火力に応じて駆動信号を生成し、その駆動信号を第１の無線アダプタ１０に出力する。また、制御部９は、加熱調理器１００における加熱動作が終了したときには、停止信号を第１の無線アダプタ１０に出力する。この第１の無線アダプタ１０は、制御部９からの駆動信号が入力されたときには、その駆動信号を無線通信にてコントローラー３００へ送信し、停止信号が入力されたときには、その停止信号を無線通信にてコントローラー３００へ送信する。
【００１５】
　換気扇装置２００は、天板２と対向する下部に開口を有する箱形状のフード２０と、フード２０の前面に設けられた操作部２１と、フード２０の前面の内側に設置された第２の無線アダプタ２２（第２の送受信手段）と、フード２０の内部に設置されたモーター２４及びモーター２４に連結された例えばシロッコファンと、フード２０のシロッコファンの手前に設けられた取り外し自在の換気フィルタ２３と、換気扇制御部（図示せず）とを備えている。
【００１６】
　
操作部２１には、シロッコファンの回転による風量の「強・中・弱」を選択するためのスイッチ、電源を「入り・切り」するためのスイッチが設けられている。
【００１７】
　
換気扇制御部は、駆動信号が入力されたときには、その駆動信号に基づいてモーター２４の駆動を制御する。このモーター２４の制御は、設定された火力に応じて生成された駆動信号（設定火力）によって異なる。例えば、火力が２．５ｋＷ以上のときには、風量が「強」となるようにモーター２４の駆動を制御し、火力が７５０Ｗ以上２．５ｋＷ未満のときには、風量が「中」となるようにモーター２４の駆動を制御し、火力が７５０Ｗ未満のときには、風量が「弱」となるようにモーター２４の駆動を制御する。
【００１８】
　コントローラー３００は、第１の無線アダプタ１０からの駆動信号が受信されたときには、その駆動信号を無線通信にて第２の無線アダプタ２２に転送し、第１の無線アダプタ１０からの停止信号が受信されたときには、その停止信号を無線通信にて第２の無線アダプタ２２に転送する。第１の無線アダプタ１０とコントローラー３００との間の無線通信、コントローラー３００と第２の無線アダプタ２２との間の無線通信は、無線ＬＡＮあるいは特定小電力にて行われている。このコントローラー３００は、例えば、制御対象の家電機器の使用電力量を監視しており、設定された電力量を超えそうな場合には、家電機器のスイッチを自動で切ったり、室温にあわせてエアコンを制御したり、部屋の明るさに応じて照明器具を制御する機能を備えている。前述の無線ＬＡＮとは、無線通信によりデータの送受信を行うローカルエリアネットワークのことで、ワイヤレスＬＡＮとも呼ばれる。また、特定小電力とは、無線通信する際の空中線電力が１Ｗ以下（元は１０ｍＷ以下であったが法改正された。）の電力のことで、この電力を使い電波法による無線局の免許を必要とせずに利用できるのが特定小電力無線である。
【００１９】
　前記のように構成された加熱調理システムの動作について、図１及び図３を参照しながら説明する。　図３は実施の形態１の加熱調理システムの動作を示す通信シーケンス図である。
【００２０】
　電源スイッチ５ａのオンにより、加熱調理器１００に電源が入ると、制御部９は、操作部５によって設定される火力が入力されるまで待機する。
制御部９は、例えば左加熱部４ａの火力が設定されたときには、その設定された火力に応じて駆動信号を生成し、その駆動信号を第１の無線アダプタ１０に出力する。
【００２１】
　
第１の無線アダプタ１０は、駆動信号が入力されると、その駆動信号を無線通信にてコントローラー３００に送信する。コントローラー３００は、第１の無線アダプタ１０からの駆動信号が受信されたときには、その駆動信号を無線通信にて第２の無線アダプタ２２に転送する。
【００２２】
　
第２の無線アダプタ２２は、コントローラー３００からの駆動信号が受信されると、その駆動信号を換気扇制御部に出力する。換気扇制御部は、駆動信号が入力されたときに、モーター２４を駆動してシロッコファンを回転させ、駆動信号（設定火力）に応じた風量となるようにモーター２４の駆動を制御する。
「
   
   
【図３】
」
４　引用文献４
　当審において通知した拒絶の理由に引用された引用文献であって、本願の出願前に頒布された刊行物である引用文献４には、「調理器具と換気装置との連動システム」に関し、次の記載がある。
「【００１９】本実施形態は、図１に示すように、厨房に設置されたシステムキッチン１におけるガスコンロ（調理器具）２と、レンジフードファン（換気装置）３との連動システムである。
【００２０】図１に示すように、前記ガスコンロ２はシステムキッチン１のカウンター４に埋め込み固定（ビルトイン）されており、その天板５に複数のコンロバーナ（熱源）６を備えている。ガスコンロ２の前面側のカウンター４下には、各コンロバーナ６の運転（点火及び火力調節）を行う操作つまみ７が配設されている。
【００２１】また、前記レンジフードファン３は、換気口８が前記ガスコンロ２の天板５に対向するように前方に張り出して設置されたフード部９と、図１においては図示されないが、該フード部９の後壁に貫通して設けられたファン装置１０（図２示参照）とを備えている。
【００２２】更に、屋内壁面１１には、該レンジフードファン３の運転を遠隔操作するリモコン（遠隔操作手段）１２が設けられている。該リモコン１２は、前記ガスコンロ２から延出されてカウンター４下の角隅に沿って目立たないように配線された信号線１３に接続されている。
【００２３】本実施形態の連動システムを更に詳細に説明すれば、図２に示すように、前記レンジフードファン３は、赤外線受光素子からなる受信部１４と、該受信部１４が受信した信号に応じて前記ファン装置１０の運転を制御する換気運転制御手段１５とを備えている。
【００２４】前記リモコン１２は、前記レンジフードファン３の受信部１４に信号を送る赤外線発光素子からなる送信部１６と、該送信部１６からの送信を制御する送信制御手段１７と、手動によって換気運転を操作する操作部１８とを備えている。前記送信制御手段１７は、操作部１８の操作に応じて送信部１６から信号を送信させる。また、該送信制御手段１７は、前記ガスコンロ２から延出された信号線１３に後述する接触端子１９を介して接続されている。
【００２５】信号線１３は、前記ガスコンロ２の前記コンロバーナ６の運転を検出する熱源運転検出手段たる燃焼運転検出手段２０から延出されているものである。該燃焼運転検出手段２０は、前記コンロバーナ６の運転（燃焼）の開始、該コンロバーナ６の燃焼火力の強弱、及び、該コンロバーナ６の運転の停止の各状態に応じて検出信号を前記リモコン１２の送信制御手段１７に送る。該燃焼運転検出手段２０の具体的な例としては、前記ガスコンロ２の操作つまみ７に連動して、点火、強火、中火、弱火、消火についての各信号を前記送信制御手段１７に送るようにすることが挙げられる。また、他の例としては、図示しないが、燃焼運転検出手段２０を前記ガスコンロ２に供給されるガス流を検出するガス流量センサにより構成し、ガス流の開始及び停止やガス流量に応じて各信号を前記送信制御手段１７に送るようにしてもよい。また、それ以外には、燃焼運転検出手段２０は、コンロバーナ６が燃焼時に発する熱、炎、赤外線等を感知することによりコンロバーナ６の燃焼を検出するものであってもよい。
【００２６】
前記送信制御手段１７は、燃焼運転検出手段２０の検出信号に応じて送信部１６から受信部１４に信号を送り、換気運転制御手段１５は受信部１４に送信された信号に応じてファン装置１０の運転制御を行う。
【００２７】
即ち、先ず、燃焼運転検出手段２０がガスコンロ２の運転開始（点火）及びコンロバーナ６の燃焼火力を検出し、例えば火力が強火であったときには、前記信号線１３及び接触端子１９を介して送信制御手段１７に、コンロバーナ６が強火で運転されたことを示す信号を送る。該送信制御手段１７はこのときの信号を送信部１６を介してレンジフードファン３の受信部１４に送信する。そして、レンジフードファン３の前記換気運転制御手段１５は、該受信部１４が受信したコンロバーナ６が強火で運転されたことを示す信号に基づいて、換気量を大（強排気）とするようにファン装置１０を運転する。これと同じようにして、コンロバーナ６が中火の場合には換気量を中とする換気運転が行われ、コンロバーナ６が弱火の場合には換気量を小とする換気運転が行われ、更に、コンロバーナ６が消火したときには換気運転が停止される。このように、ガスコンロ２の運転に応じてレンジフードファン３の運転を連動させることができ、調理時の換気のし忘れや調理終了時の換気運転の停止し忘れ等を確実に防止することができる。
「
   
   
」
第５　対比
　本願発明（以下「前者」ともいう。）と引用発明（以下「後者」という。）とを、その機能、構造又は技術的意義を考慮して対比する。
・後者の「家屋内」は、「室内」に相当し、以下同様に、「ガスコンロ」は「調理器」に、「換気扇」は「換気手段」に、「煙，臭い，ガスなど」は「空気質」に、「検出」は「検知」に、「空気汚染検出部１」は「検知手段」に、「制御部」は「制御手段」に、「換気システム」は「換気システム」に、それぞれ相当する。
・後者の「前記温度検出部２が検出した空気温度から演算した調理時に発生する熱気に対応した温度差」は、当該調理時に発生する熱気が、調理器（ガスコンロ）の火力と熱量という点で共通するものであり、調理器とは異なる箇所で調理器の火力が反映されたものであるから、前者の「前記調理器の火力」に、「前記調理器に関する所定箇所の熱量」という限りに於いて一致する。
　そして、後者の「前記換気扇は、前記温度検出部２が検出した空気温度から演算した調理時に発生する熱気に対応した温度差に応じた風量及び前記空気汚染検出部１が検出した煙，臭い，ガスなどに応じた風量で前記家屋内の空気を換気可能に構成されており」という態様は、前者の「前記換気手段は、前記調理器の火力に応じた３段階以上の風量及び前記検知手段が検知した空気質に応じた３段階以上の風量で前記室内の空気を換気可能に構成されており」という態様に、「前記換気手段は、前記調理器に関する所定箇所の熱量に応じた風量及び前記検知手段が検知した空気質に応じた風量で前記室内の空気を換気可能に構成されており」という限りにおいて一致する。
・後者の「前記温度検出部２が検出した空気温度から演算した調理時に発生する現在の熱気に対応した温度差に応じて特定される１つの風量」は、調理器に関する所定箇所の現在の熱量に応じた風量ということができるから、前者の「前記調理器と通信可能に構成されており、前記調理器の火力に応じた３段階以上の風量のうち前記調理器から受信した現在の火力に応じて特定される１つの風量」に、「前記調理器に関する所定箇所の現在の熱量に応じて特定される１つの風量」という限りにおいて一致する。
　また、後者の「前記空気汚染検出部１が検出した現在の煙，臭い，ガスなどに応じて特定される１つの風量」は、前者の「前記検知手段が検知した空気質に応じた３段階以上の風量のうち現在の空気質に応じて特定される１つの風量」に、「前記検知手段が検知した現在の空気質に応じて特定される１つの風量」という限りにおいて一致する。
　そして、後者の「前記制御手段は、前記温度検出部２が検出した空気温度から演算した調理時に発生する現在の熱気に対応した温度差に応じて特定される１つの風量と、前記空気汚染検出部１が検出した現在の煙，臭い，ガスなどに応じて特定される１つの風量とを比較して、２つ風量のうち強い方の風量で前記家屋内の空気が換気されるように前記換気扇の運転を制御する」態様は、前者の「前記制御手段は、前記調理器と通信可能に構成されており、前記調理器の火力に応じた３段階以上の風量のうち前記調理器から受信した現在の火力に応じて特定される１つの風量と、前記検知手段が検知した空気質に応じた３段階以上の風量のうち現在の空気質に応じて特定される１つの風量とを比較して、２つの風量のうち強い方の風量で前記室内の空気が換気されるように前記換気手段の運転を制御する」に、「前記制御手段は、前記調理器に関する所定箇所の現在の熱量に応じて特定される１つの風量と、前記検知手段が検知した現在の空気質に応じて特定される１つの風量とを比較して、２つの風量のうち強い方の風量で前記室内の空気が換気されるように前記換気手段の運転を制御する」という限りにおいて一致する。
　したがって、両者の間に次の一致点、相違点が認められる。
［一致点］
「室内に配置されている調理器と、
　前記室内に配置されており、前記室内の空気を換気する換気手段と、
　前記室内に配置されており、前記調理器から離れた位置で前記室内の空気質を検知する検知手段と、
　制御手段を備えており、
　前記換気手段は、前記調理器に関する所定箇所の熱量に応じた風量及び前記検知手段が検知した空気質に応じた風量で前記室内の空気を換気可能に構成されており、
　前記制御手段は、前記調理器に関する所定箇所の現在の熱量に応じて特定される１つの風量と、前記検知手段が検知した現在の空気質に応じて特定される１つの風量とを比較して、２つの風量のうち強い方の風量で前記室内の空気が換気されるように前記換気手段の運転を制御する、換気システム。」
［相違点］
　「前記換気手段」の「前記調理器に関する所定箇所の熱量に応じた風量」及び「前記検知手段が検知した空気質に応じた風量」、並びに、「前記制御手段」により特定される「前記調理器に関する所定箇所の現在の熱量に応じて特定される１つの風量」及び「前記検知手段が検知した現在の空気質に応じて特定される１つの風量」に関し、
　前者では、「前記換気手段」の各風量が、「前記調理器の火力に応じた３段階以上の風量」及び「前記検知手段が検知した空気質に応じた３段階以上の風量」であり、「前記制御手段」により特定される各風量が、「前記制御手段」を「前記調理器と通信可能に構成され」たものとし、「前記調理器の火力に応じた３段階以上の風量のうち前記調理器から受信した現在の火力に応じて特定される１つの風量」及び「前記検知手段が検知した空気質に応じた３段階以上の風量のうち現在の空気質に応じて特定される１つの風量」であるのに対して、
　後者では、「換気手段（換気扇）」の各風量が、「３段階以上の風量」ではなく、また、「前記制御手段（制御部）」により特定される各風量が、「３段階以上の風量のうち」「特定される１つの風量」ではなく、さらに、「換気手段（換気扇）」の風量についての「前記調理器に関する所定箇所の熱量」及び「前記制御手段（制御部）」により特定される風量についての「前記調理器に関する所定箇所の現在の熱量」が、「調理時に発生する熱気を検知するため、空気温度を検出する温度検出部２」を備え、「前記温度検出部２が検出した空気温度から演算した調理時に発生する熱気に対応した温度差」及び「前記温度検出部２が検出した空気温度から演算した現在の調理時に発生する熱気に対応した温度差」であって、それぞれ「前記調理器の火力」及び「前記制御手段」が「前記調理器と通信可能に構成され」、「前記調理器から受信した現在の火力」とはいえない点。
第６　判断
１　相違点の検討
　上記相違点について検討する。
　換気扇等の換気手段の風量を３段階以上の風量のうち特定される１つの風量とすることは、上記第４の２〜４で摘記した引用文献２、引用文献３（特に、段落００１６及び００１７）及び引用文献４（特に、段落００２７）の記載にみられるように、本願の出願前に周知の技術（以下「周知技術１」という。）であり、引用発明においても、より細やかに換気扇の風量制御を行うべく、周知技術１を適用して、換気手段（換気扇）の調理器に関する所定箇所の熱量に応じた風量及び検知手段が検知した空気質に応じた風量を３段階以上の風量とし、制御手段（制御部）により、各風量について３段階以上の風量のうち特定される１つの風量とすることは、当業者が適宜なし得ることである。
　また、調理器とともに用いられる換気手段において、制御手段を調理器と通信可能に構成し、調理器から受信した現在の火力に応じて風量を設定することは、上記第４の３及び４で摘記した引用文献３及び引用文献４（特に、段落００２６及び００２７）の記載にみられるように、本願の出願前に周知の技術（以下「周知技術２」という。）であり、引用発明に周知技術２を適用し、換気手段（換気扇）を、調理器（ガスコンロ）の火力に応じた風量で室内（家屋内）の空気を換気可能に構成し、制御手段（制御部）を調理器と通信可能に構成し、調理器から受信した現在の火力に応じて１つの風量を特定するように構成とすることは、当業者にとって格別困難ではない。
　そうすると、引用発明に周知技術１及び周知技術２を適用することにより、上記相違点に係る本願発明の構成とすることは、当業者が容易に想到し得たことである。
　なお、請求人は、令和２年１２月１４日提出の意見書の２頁４行〜同頁下から６行において、次の主張をする（下線は、当審で付したものである。）。
「しかしながら、引用発明において、制御手段をガスコンロ（調理器）と通信可能に構成し、ガスコンロから受信した火力に応じて制御量（風量）を設定するようにすることは、当業者にとって容易ではないと思料いたします。
　この点について、引用文献１には、「本発明の目的は、例えば、調理時に発生する熱気はもちろんのこと、煙、臭い、ガスなどを検出して、それらを自動的に排出し、家屋内のより良い生活環境を維持することにある。」と記載されています（第２頁左下欄第１４行−１７行参照）。また、引用文献１には、課題を解決するための手段として「上記の課題を解決するためにとられた本発明の主なる構成は、・・・昇温発生源の稼動状態における温度・・・を、空気汚染発生前の常温状態における温度・・・と比較し、該比較によって得られた比較値を予め設定されている前記温度・・・の基準の比較値と比較し、該比較結果に基づき換気扇を駆動することを特徴とし、・・・」と記載されています（第２頁右下欄１行−３頁右上欄２行参照）。また、引用文献１には、「本発明は、例えば、調理時に発生する熱気はもちろんのこと、・・・産業上の効果の大なるものである。」と記載されています（第６頁左下欄第１４行−２０行参照）。
　これらの記載から、引用発明は、調理時に発生する熱気（温度）に応じて換気扇の制御量（風量）を演算することを前提としており、この特徴を備えることにより課題を解決しています。引用発明における調理時に発生する熱気（温度）は、ガスコンロの火力と明らかに相違します。この点について、引用文献１には、ガスコンロを点火したとしても熱気（温度）が直ぐには上昇せず、ガスコンロを消火したとしても熱気（温度）が直ぐには低下しないことが記載されています（第５頁左下欄第１１行−第６頁左下欄第２行、第９図参照）。ガスコンロの火力と調理時に発生する熱気（温度）とは必ずしも一致しません。そのため、
引用発明において、ガスコンロの火力に応じて制御量（風量）を設定しようとすると、ガスコンロの火力と調理時に発生する熱気とが一致しないので、調理時に発生する熱気に応じて制御量（風量）を設定することができなくなります。そうすると、「調理時に発生する熱気はもちろんのこと、・・・家屋内のより良い生活環境を維持することにある。」という引用発明の目的に反することになります。さらに、引用発明において、わざわざ制御手段をガスコンロと通信可能に構成してまでガスコンロの火力に応じて制御量（風量）を設定することは到底考えられません。そのため、調理器とともに用いられる換気手段において、制御手段を調理器と通信可能に構成し、調理器から受信した火力に応じて風量を設定することが、仮に引用文献３（特開２０１４−２２８２１７号公報）及び引用文献４（特開平１１−１４１９３５号公報）に記載されているとしても、引用発明において、制御手段をガスコンロ（調理器）と通信可能に構成し、ガスコンロから受信した火力に応じて制御量（風量）を設定するようにすることは、当業者にとって容易ではない
　しかしながら、ガスコンロの換気扇は、不完全燃焼を防ぐために、ガスコンロの点火後速やかに（できれば同時に）運転開始する必要があることは、本願の出願前より技術常識である一方、上記第４の１（１）で摘記した引用文献１における上記オ及びキ並びに第３図、第９図及び第１０図の記載によると、引用発明では、点火時から所定時間経過した熱気の検知によって、換気扇の運転開始がされることとなり、ガスコンロの点火に対し応答遅れが生じるから、この応答遅れを解消するために、引用発明に周知技術２を適用するという動機付けが存在しているといえ、周知技術２の適用が当業者にとって格別困難であるとはいえない。
　そして、引用発明に周知技術２を適用しても、ガスコンロの火力は調理時に発生する熱気に反映されることは引用発明自体と同様であるから、引用発明の目的に反したものとはならない。
　よって、請求人の上記主張は採用することができない。
２　効果について
　そして、本願発明を全体としてみても、その奏する効果は、引用発明、周知技術１及び周知技術２から、当業者が予測し得る範囲のものである。
３　まとめ
　したがって、本願発明は、引用発明、周知技術１及び周知技術２に基いて、当業者が容易に発明をすることができたものであり、特許法第２９条第２項の規定により特許を受けることができない。
第７　むすび
　以上のとおり、本願発明は、特許法第２９条第２項の規定により特許を受けることができないから、他の請求項に係る発明について検討するまでもなく、本願は拒絶すべきものである。
　よって、結論のとおり審決する。